(57)【特許請求の範囲】
【請求項１】
長尺体の一端を支持するための支持ユニットであって、
長尺体を載置するための棚部と、当該支持ユニットの上部及び下部を相互に連結し、組み上げるための嵌合部を有し、
前記支持ユニットは、一の平板状部材と複数対の連結部材とによって構成され、
前記平板状部材の上端面により、前記棚部が構成され、
前記平板状部材の少なくとも長手方向の両縁端部近傍を、各一対の連結部材により、当該平板状部材の厚み方向に挟持するとともに、前記各一対の連結部材の一端を平板状部材の長手方向に直交して突出するように配設して連結部材間に凹部を形成し、かつ、前記各一対の連結部材の他端から平板状部材を突出させて連結部材間に凸部を形成することにより、前記嵌合部を形成せしめたことを特徴とする支持ユニット。
【請求項２】
長尺体の一端を支持するための支持ユニットであって、
長尺体を載置するための棚部と、当該支持ユニットの上部及び下部を相互に連結し、組み上げるための嵌合部を有し、
前記支持ユニットは、複数の連結部材と一対の平板状部材とによって構成され、
前記平板状部材の上端面により、前記棚部が構成され、
前記一対の平板状部材の少なくとも長手方向の両縁端部近傍に、各一つの連結部材を、前記一対の平板状部材により、当該連結部材の厚み方向に挟持するとともに、
前記各一つの連結部材の一端を前記一対の平板状部材の長手方向に直交して突出するように配設して平板状部材間に凸部を形成し、かつ、前記各一つの連結部材の他端から前記一対の平板状部材を突出させて平板状部材間に凹部を形成することにより、前記嵌合部を形成せしめたことを特徴とする支持ユニット。
【請求項３】
平板状部材の棚部となる部分に、長尺体の転がりを防止するための切欠部若しくは突起部を設けた請求項１又は２に記載の支持ユニット。
【請求項４】
請求項１〜３のいずれか一項に記載の支持ユニットと、パレットとから構成され、
複数対の前記支持ユニットの長尺体を載置するための棚部を互いに対向させ、前記パレットの上面に、対峙するように組み上げたことを特徴とする組立ラック。
【請求項５】
長尺体がポリマー碍子である請求項４に記載の組立ラック。
【請求項６】
工程１：パレットの上面に、長尺体を載置するための棚部が対向するように一対の、請求項１〜３のいずれか一項に記載の支持ユニットを載置し、
工程２：前記対向する棚部間に長尺体を横架し、
工程３：更に、前記支持ユニットの上面に他の一対の支持ユニットを嵌合部を介して組み上げ、
工程４：工程２及び工程３を任意の回数繰り返して請求項５に記載の組立ラックを構成した後に、前記パレットと前記組立ラックとを締結することを特徴とする長尺体の積載方法。
【請求項７】
長尺体がポリマー碍子である請求項６に記載の長尺体の積載方法。
【発明の詳細な説明】
【０００１】
【発明の属する技術分野】
本発明は、例えばポリマー碍子等の長尺体を積載するための支持ユニット、組立ラック及びこれらを用いた長尺体の積載方法に関するものである。
【０００２】
【従来の技術】
一般に、長尺体は、その形状から保管・輸送等の取扱いが困難なものである。
ポリマー碍子等の長尺体の輸送を例として説明すると、通常、長尺体を単体で輸送することは稀であるから、多数本の長尺体を結束し、若しくは箱体内に段積み等行った後に輸送することとなるが、従来は、図２に示すように、ポリ袋等により個別包装した長尺体２１を箱体２２内に投入して段積みし、蓋体により箱体２２を封止した後に輸送したり、或いは図３に示す如く、少なくとも２対のレール２４、２５を箱体２２内の長手方向の両縁端部近傍に設け、当該レール２４、２５間に支持板２６を緩挿し、次いで当該支持板２６上に長尺体２７を並列する操作を交互に繰り返して段積みする方法などが採られていた。
【０００３】
しかしながら、図２の方法については個別包装を要し、図３の方法についても各箱体内へのレールの設置及び多数の支持板の作成を要するという煩雑さを伴う難点があった。
また、何れの方法についても箱体を使用しているところ、深さのある箱体内に長尺体を段積みする作業が困難であること、種々の製品長さに対応するために各々のサイズに合わせた箱体が必要となること、箱体が空であっても大きい保管スペースを必要とすること、箱体を含めた全体重量がかさむこと、輸送後に箱体を解体した場合の廃材量が莫大であること等、様々な問題点があり、これらの問題点は長尺体の輸送コストを著しく増大させていた。
【０００４】
【発明が解決しようとする課題】
本発明はこのような従来技術の問題点に鑑みてなされたものであって、その目的とするところは、長尺体を簡易に段積みでき、異なる製品長さにも対応可能であって、軽量かつ保管スペースが少なくて済み、また、解体した場合でも廃材量が少ない長尺体積載用の支持ユニット、組立ラック及びこれらを用いた長尺体の積載方法を提供することにある。
【０００５】
【課題を解決するための手段】
本発明によれば、長尺体の一端を支持するための支持ユニットであって、長尺体を載置するための棚部と、当該支持ユニットの上部及び下部を相互に連結し、組み上げるための嵌合部を有し、前記支持ユニットは、一の平板状部材と複数対の連結部材とによって構成され、前記平板状部材の上端面により、前記棚部が構成され、前記平板状部材の少なくとも長手方向の両縁端部近傍を、各一対の連結部材により、当該平板状部材の厚み方向に挟持するとともに、前記各一対の連結部材の一端を平板状部材の長手方向に直交して突出するように配設して連結部材間に凹部を形成し、かつ、前記各一対の連結部材の他端から平板状部材を突出させて連結部材間に凸部を形成することにより、前記嵌合部を形成せしめたことを特徴とする支持ユニットが提供される。
【０００７】
また、本発明によれば、長尺体の一端を支持するための支持ユニットであって、長尺体を載置するための棚部と、当該支持ユニットの上部及び下部を相互に連結し、組み上げるための嵌合部を有し、前記支持ユニットは、複数の連結部材と一対の平板状部材とによって構成され、前記平板状部材の上端面により、前記棚部が構成され、前記一対の平板状部材の少なくとも長手方向の両縁端部近傍に、各一つの連結部材を、前記一対の平板状部材により、当該連結部材の厚み方向に挟持するとともに、前記各一つの連結部材の一端を前記一対の平板状部材の長手方向に直交して突出するように配設して平板状部材間に凸部を形成し、かつ、前記各一つの連結部材の他端から前記一対の平板状部材を突出させて平板状部材間に凹部を形成することにより、前記嵌合部を形成せしめたことを特徴とする支持ユニットが提供される。
【０００８】
なお、前記支持ユニットには、平板状部材の棚部となる部分に、長尺体の転がりを防止するための切欠部若しくは突起部を設けることが更に好ましい。
【０００９】
また、本発明では前記の支持ユニットと、パレットとから構成され、複数対の前記支持ユニットの長尺体を載置するための棚部が互いに対向させ、前記パレットの上面に、対峙するように組み上げたことを特徴とする組立ラックが提供される。
なお、当該組立ラックは長尺体がポリマー碍子である場合に好適に用いられる。
【００１０】
さらに本発明では、工程１：パレットの上面に、長尺体を載置するための棚部が対向するように一対の、前記支持ユニットを載置し、工程２：前記対向する棚部間に長尺体を横架し、工程３：更に、前記支持ユニットの上面に他の一対の支持ユニットを嵌合部を介して組み上げ、工程４：工程２及び工程３を任意の回数繰り返して請求項５に記載の組立ラックを構成した後に、前記パレットと前記組立ラックとを締結することを特徴とする長尺体の積載方法が提供される。
なお、当該長尺体の積載方法は、長尺体がポリマー碍子である場合に好適に用いられる。
【００１１】
【発明の実施の形態】
本発明では、パレット上に支持ユニットを上下に連結して組立ラックを構成する積載方法を採用する。
こうすることにより、標準化された１種の支持ユニットによって種々の製品長さに対応可能となり、製品ごとに異なる箱体を用意する必要がなくなる。
また、箱体を使用した場合に比べ、長尺体を簡易に段積みでき、軽量かつ保管スペースが少なくて済むとともに、解体した際の廃材量も少なくできる。
以下、本発明について詳細に説明する。
【００１２】
本発明において支持ユニットは、長尺体を載置して支持するための部材であって、長尺体を載置するための棚部及び当該支持ユニットの上部及び下部を相互に連結し、組み上げるための嵌合部を有するものである。
当該支持ユニットは、一対の支持ユニットを一組として使用し、長尺体の長手方向の両端をそれぞれの支持ユニットの棚部に載置することにより、長尺体を支持することが可能となる。
【００１３】
当該支持ユニットの材質としては、安価で、加工容易で、かつ、廃棄が容易な木材を好適に用いることができる。
【００１４】
支持ユニットの形状は長尺体を載置するための棚部と当該支持ユニットの上部及び下部を相互に連結し、組み上げるための嵌合部を有する限りにおいて、特に限定されないが、例えば以下のような構造とすることができる。
【００１５】
図１においては、支持ユニット３１を一の平板状部材３２と複数対の連結部材３３、３４、３５により構成した例である。図１の例においては、平板状部材３２の上端面が長尺体の一端を載置する棚部３６となり、３対の連結部材により平板状部材を挟持した部分が支持ユニット同士を連結するための嵌合部となっている。
このように構成すると、後述する図４の支持ユニットと比較して、軽量化を図ることができる点において好ましい。
【００１６】
前記嵌合部について更に詳しく説明する。
前記嵌合部は、一の平板状部材３２の少なくとも両縁端部を当該平板状部材３２の厚み方向に、各一対の連結部材３３、３５により挟持した構造であることを要するが、荷重による平板状部材中央部の撓みや破損を防止するため、図示のように中央部にも連結部材３４を設けることが好ましく、長尺体を載置する空間を確保できる限りにおいて、更に他の部分に連結部材を配設してもよい。
【００１７】
前記各一対の連結部材３３、３４、３５は、一端を平板状部材３２の長手方向に直交して突出するように配設して連結部材間に凹部３７を形成し、かつ、他端からは平板状部材３２を突出させて凸部３８を形成する。
当該凹部３７と凸部３８とを嵌合することにより、複数の支持ユニットを上下に連結して積重することが可能となる。
【００１８】
凸部３６の長さと凹部３７の深さは、支持ユニットを確実に連結できる限りにおいて、特に限定されないが、凸部３６の長さを凹部３７の深さより長尺体の外径以上長く構成することにより、長尺体を挿通できるスペースが確保されるため好ましい。このように構成しない場合には、図５に示すように、平板状部材３２に開口部３９を設けることにより前記スペースを確保することができる。
【００１９】
図１の例では、支持ユニット３１の上端側が凹部３７、下端側が凸部３８を形成しているが、上下を逆転して構成しても同様の効果を得ることができる。
また、図１に示すように複数の支持ユニットを積重した際の、最上端及び最下端に用いる支持ユニットについては、他の支持ユニットを連結しない端部の嵌合部を省略することができる。
【００２０】
図４は、支持ユニット４１を複数の連結部材４３、４４、４５と一対の平板状部材４２により構成した例である。図１と同様に平板状部材４２の上端面が長尺体の一端を載置する棚部４６となるが、３つの連結部材４３、４４、４５を一対の平板状部材４２により挟持した部分が支持ユニット同士を連結するための嵌合部となっている。
このように構成すると、前記図１の支持ユニットと比較して強度を担保できる点において好ましい。
【００２１】
この場合においては、当該嵌合部は、平板状部材４２の少なくとも長手方向の両縁端部近傍で、各一つの連結部材４３、４５を、その厚み方向に挟持した構造であることを要するが、図１の場合と同様の理由から、中央部にも連結部材４４を配設することが好ましく、更に他の部分にも連結部材を配設してもよい。
【００２２】
前記各一つの連結部材４３、４４、４５は、一端を平板状部材４２の長手方向に直交して突出するように配設して凸部４８を形成し、かつ、他端からは平板状部材４２を突出させて平板状部材４２間に凹部４７を形成する。
当該凸部４８と凹部４７とを嵌合することにより、複数の支持ユニットを上下に連結して積重することが可能となる。
【００２３】
また、図１の支持ユニットと同様の理由から、凸部４８の長さを凹部４７の深さより長尺体の外径以上に長く構成することが好ましく、図示の支持ユニット４１の上下を逆転して構成しても差し支えない。
また、複数の支持ユニットを積重した際の、最上端及び最下端に用いる支持ユニットについても他の支持ユニットを連結しない一端の嵌合部を省略することができる。
【００２４】
更に、支持ユニット５１、６１の平板状部材５２、６２の棚部となる部分には、図６(ａ)、（ｂ）に示すように切欠部５９若しくは突起部６９を設けることが好ましい。
こうすることにより、並列して載置した長尺体の転がりを防止することができるため、長尺体の損傷を防止する点において好ましい。
【００２５】
本発明において組立ラック７１とは、図７に示すように、前述した支持ユニット複数対と、パレット７２とから構成され、前記複数対の支持ユニットの長尺体７４を載置するための棚部を互いに対向させ、前記パレット７２の上面に、対峙するように支持ユニット群７３を組み上げたものである。
このようにすることで、パレット上に載置する支持ユニットの間隔を調整することによって、或いはパレットの長さを適宜選択することによって、様々な長さの長尺体を高密度に段積みすることが可能となる。
【００２６】
また、組立式であるので使用時以外はパレットと各支持ユニットに分解して保管すれば足り、空の箱体のように保管スペースを必要としないとともに、箱体と比較して構成部品が少ないため廃棄する場合にも廃材量が少なくて済む利点を有する。
さらに、長尺体と支持ユニットを交互に積層していく方法を採るので、深い箱体内に長尺体を段積みする場合と比較して段積み作業が容易である。
【００２７】
パレット７２とは図７に示すような貨物の格納運搬用の荷台をいい、通常は木材により構成される。本発明においてはこのパレット７２の上面に前記支持ユニットを載置・積重して組立ラックを構成する。
【００２８】
なお、横架する長尺体の材質にもよるが、長尺体が約 1.8 ｍ以上と長くなった場合には長尺体の中央部が撓みやすくなる傾向がある。
従って、一の支持ユニット群と他の支持ユニット群との間に並列載置した長尺体の間隙に支持部材を挟入することが好ましい。
【００２９】
支持部材の材質は長尺体の材質により適宜選択されるべきであるが、長尺体の荷重を支持できる耐圧強度を有し、かつ、長尺体表面が損傷しない程度の硬度であることが好ましい。例えば、外周部がシリコーンゴムよりなるポリマー碍子のような長尺体については、支持部材も柔らかい素材、具体的には 15〜25 倍に発泡させたポリエチレン等を好適に用いることができる。
【００３０】
以上、長尺体を組立ラックにより収納保管する場合について説明したが、長尺体をこの形態により輸送する場合には組立ラックを補強するため、図８の如く組立ラック８１の上面に更に蓋材８２を積重することが好ましい。
こうすることにより、組立ラック８１を更に積層して輸送することが可能となり、輸送の効率化を図ることができる。
【００３１】
また、図８に示すように、荷崩れ防止のため、例えば、帯鋼、ゴム、布、プラスチック製のバンド８３、若しくはプラスチック製のフィルムにより組立ラック８１とパレット８４とを結束し、或いは組立ラック８１側面とパレット８４に補強部材を架設して固定することが好ましく、確実に固着できる点において補強部材を架設することがより好ましい。
【００３２】
補強部材は、組立ラック８１側面の対角線上に筋交いを架設することが好ましいが、図８に示すように２本の筋交い８５を架設する方がより堅固に固着でき、更に好ましい。
補強部材と組立ラックとの接合方法は、補強部材や組立ラックの材質により適宜選択されるべきであるが、全てが木材により構成されている場合には、釘やネジにより接合することができる。
【００３３】
【実施例】
以下、本発明の支持ユニット、組立ラック及びこれらを用いた長尺体の積載方法を、長尺体としてポリマー碍子を用いた例により説明するが、本発明は図示の実施例に限定されるものではない。
【００３４】
なお、図９に示すポリマー碍子９１は、有機絶縁材料からなる高電圧屋外用碍子であり、機械荷重を分担する FRP コアよりなる軸部９２、軸部を保護するためのシリコーンゴムよりなる笠部９３、把持金具９４、９５及び、必要によりコロナシールドリング９６により構成される長尺体である。
【００３５】
（実施例１）  図１０は比較的短尺のポリマー碍子に本発明を適用した例である。
本実施例では、全長約 1700 mm、胴径 26 φ、笠径 126 φ のポリマー碍子を使用した。
【００３６】
また、支持ユニットとしては、上端側に連結部材が凸部、下端側に平板状部材が凹部を形成し、凸部長さが 90 mm、凹部深さが 400 mm であって、連結部材を平板状部材の両縁端部及び中央部の合計３箇所に配設したものを用いた。
なお、支持ユニット、補強部材、筋交いは全て木製のものを使用した。
【００３７】
まず、パレット１上に積載するポリマー碍子２の長さに合わせて一対の支持ユニットをセットし、平板状部材の上端面、即ち棚部に把持金具が当接するように 12 本のポリマー碍子２を並列して前記支持ユニットの棚部間に横架する。
次いで、支持ユニットの上端の凸部に対して、他の支持ユニットの凹部を嵌合して連結・積重するとともに当該他の支持ユニットの棚部間にも同様にポリマー碍子２を並列して横架する。
【００３８】
前記操作を 8 回繰り返して、支持ユニット群３、４を構成した後、最上層の支持ユニットの上端面に蓋材５を架設することにより、対峙する支持ユニット群３、４が隔離しないように締結し、支持ユニット群３、４の両側面には、対角線上に２本の筋交い６、７を交叉して架設し、パレット１と支持ユニット群３、４が隔離しないように締結する。
【００３９】
（実施例２）  図１１は比較的長尺のポリマー碍子に本発明を適用した例であり、長尺体の撓みが大きいことを考慮して、撓み防止用の支持部材を各層間に挟入したものである。
なお、図１１は説明のため、筋交いを省略して記載した。
【００４０】
本実施例では、全長約 2700 mm、胴径 26 φ、笠径 126 φ のポリマー碍子１０２を使用した。
また、支持ユニットは実施例１と同じものを用い、蓋材１０５及び図示されない筋交いも長さ以外は実施例１と同じものを用いた。
更に、本実施例では、支持部材１０８として平板状部材と類似形状の、 15 倍に発泡させたポリエチレンを用いた。
【００４１】
まず、実施例１と同様にパレット１０１上に積載するポリマー碍子１０２の長さに合わせて一対の支持ユニットをセットし、当該支持ユニットの棚部間に支持ユニットと平行かつ等間隔に２つの支持部材１０８を載置した後、平板状部材の上端面、即ち棚部に把持金具が当接するように 12 本のポリマー碍子１０２を並列して載置する。
次いで、支持ユニットの上端の凸部に対して、他の支持ユニットの凹部を嵌合して連結・積重するとともに当該他の支持ユニットの棚部にも同様にポリマー碍子を並列して載置する。
【００４２】
前記操作を 8 回繰り返して支持ユニット群１０３、１０４を構成した後、最上層の支持ユニットの上端面に蓋材１０５を横架して固定することにより、支持ユニット群同士が隔離しないように締結し、支持ユニット群の両側面には、対角線上に２本の筋交いを交叉して架設し、パレット１０１と支持ユニット群１０３、１０４が隔離しないように締結する。
【００４３】
（実施例３）  図１２は実施例１と同様の支持ユニットにおいて長尺体１１２の転がりを防止するための切欠部１１９を設けたものを用いた実施例である。
この場合においては、長尺体１１２の棚部上での転がりを防止できるとともに、切欠部１１９内に長尺体を挿通できるところ、連結部材の凸部の長さを凹部の深さと同等若しくはそれ以下に構成できるため、嵌合部の強度が担保され、より確実に支持ユニットを連結できる点において好ましい。
【００４４】
【発明の効果】
以上説明したように、本発明の長尺体積載用の支持ユニット、組立ラック、及びこれを用いた長尺体の積載方法においては、長尺体を簡易に段積みでき、異なる製品長さにも対応可能であって、軽量かつ保管スペースを必要とせず、また、解体した際の廃材量を少なくすることができる。
【図面の簡単な説明】
【図１】  本発明の支持ユニットの一の実施形態を示す概略斜視図である。
【図２】  長尺体の収納方法の一の従来例を示す概略説明図である。
【図３】  長尺体の収納方法の他の従来例を示す概略説明図である。
【図４】  本発明の支持ユニットの他の実施形態を示す概略斜視図である。
【図５】  開口部を設けた支持ユニットの例を示す概略斜視図である。
【図６】  切欠部（ａ）、突起部（ｂ）を設けた支持ユニットの例を示す概略説明図である。
【図７】  本発明の組立ラックの一の実施形態を示す概略説明図である。
【図８】  本発明の長尺体の積載方法の一の実施形態を示す概略斜視図である。
【図９】  ポリマー碍子の概略説明図である。
【図１０】  本発明の長尺体の積載方法の一の実施例を示す概略説明図である。
【図１１】  本発明の長尺体の積載方法の他の実施例を示す概略説明図である。
【図１２】  本発明の長尺体の積載方法の更に他の実施例を示す概略斜視図である。
【符号の説明】
１…パレット、２…ポリマー碍子、３，４…支持ユニット群、５…蓋材、６，７…筋交い、２１…個別包装した長尺体、２２…箱体、２４，２５…レール、２６…支持板、２７…長尺体、３１…支持ユニット、３２…平板状部材、３３，３４，３５…連結部材、３６…棚部、３７…凹部、３８…凸部、３９…開口部、４１…支持ユニット、４２…平板状部材、４３，４４，４５…連結部材、４６…棚部、４７…凹部、４８…凸部、５１…支持ユニット、５２…平板状部材、５３，５４，５５…連結部材、５９…切欠部、６１…支持ユニット、６２…平板状部材、６３，６４，６５…連結部材、６９…突起部、７１…組立ラック、７２…パレット、７３…支持ユニット群、７４…長尺体、８１…組立ラック、８２…蓋材、８３…バンド、８４…パレット、８５…筋交い、９１…ポリマー碍子、９２…軸部、９３…笠部、９４，９５…把持金具、９６…コロナシールドリング、１０１…パレット、１０２…ポリマー碍子、１０３，１０４…支持ユニット群、１０５…蓋材、１０８…支持部材、１１２…ポリマー碍子、１１３…支持ユニット、１１９…切欠部。
【図１】
0003889117.tif 000002
【図２】
0003889117.tif 000003
【図３】
0003889117.tif 000004
【図４】
0003889117.tif 000005
【図５】
0003889117.tif 000006
【図６】
0003889117.tif 000007
【図７】
0003889117.tif 000008
【図８】
0003889117.tif 000009
【図９】
0003889117.tif 000010
【図１０】
0003889117.tif 000011
【図１１】
0003889117.tif 000012
【図１２】
0003889117.tif 000013